(57)【特許請求の範囲】
【請求項１】
流体管理カセットシステムであって、
第１の圧板及び前記第１の圧板と対向する第２の圧板と、
互いに対向する関係にあり、前記第１の圧板と前記第２の圧板との間で圧縮される第１のフィルム及び第２のフィルムと、
前記第１の圧板および前記第２の圧板に形成されている２つ以上のチャネルと、を備え、
流体が、開口部を介して前記チャネルに面する前記第１のフィルムおよび前記第２のフィルム間に導入された際に、前記チャネルに面する前記第１のフィルムまたは前記第２のフィルムが前記チャネルに向けて変形して、前記第１のフィルムおよび前記第２のフィルム間に通路が形成され、流体が前記通路を通じて方向付けされ、
前記２つ以上のチャネルの内の前記第２の圧板に形成されているチャネルは、前記２つ以上のチャネルの内の前記第１の圧板に形成されているチャネルに対して独立して位置付けられる、流体管理カセットシステム。
【請求項２】
前記第１のフィルムは、前記第２のフィルムに面する内向きの面を有し、前記第２のフィルムは、前記第１のフィルムに面する内向きの面を有し、前記第１のフィルムの内向きの面及び前記第２のフィルムの内向きの面は無菌性である、請求項１に記載の流体管理カセットシステム。
【請求項３】
弁を更に備え、前記弁は、前記第１のフィルム又は前記第２のフィルムの一方に抗して前記チャネルの中へと移動可能な弁要素を備える、請求項１に記載の流体管理カセットシステム。
【請求項４】
前記通路は、前記弁要素が前記チャネルの中へと完全に移動されると封鎖される、請求項３に記載の流体管理カセットシステム。
【請求項５】
前記弁要素は、前記通路における流量制限をもたらすように、部分的に前記チャネルの中へと移動可能である、請求項３に記載の流体管理カセットシステム。
【請求項６】
前記第１のフィルム及び前記第２のフィルムは、使い捨て式でありかつ交換式である、請求項１に記載の流体管理カセットシステム。
【請求項７】
前記第１のフィルム及び前記第２のフィルムは、バッグを形成するように周辺部の周りで封止されている、請求項１に記載の流体管理カセットシステム。
【請求項８】
前記第１の圧板と前記第２の圧板の少なくとも一方は各区間の行列を備え、各区間は、前記第１の圧板と前記第２の圧板のもう一方へ向かう延出位置から、前記第１の圧板と前記第２の圧板のもう一方から離れた後退位置に移動可能であり、前記チャネルは、前記各区間をそれらの後退位置に配列することによって形成され、各区間の移動は、一連の移動作動ラインを介して各区間に接続され、各区間の行列と一致する行列をなして配列されたアクチュエータを用いて作動される、請求項１に記載の流体管理カセットシステム。
【請求項９】
前記チャネル内の流量制御弁は、前記チャネルの中へと移動可能な、前記各区間のうちの１つ又は２つ以上の区間を含む、請求項８に記載の流体管理カセットシステム。
【請求項１０】
前記第１の圧板と前記第２の圧板の少なくとも一方に形成された流体ポンプを更に備える、請求項１に記載の流体管理カセットシステム。
【請求項１１】
前記ポンプは、前記１つ又は２つ以上のチャネルのうちの１つの途中にあるチャンバと、前記１つ又は２つ以上のチャネルから前記チャンバへと続く入口を形成し、前記チャンバの中への流れを許可するように構成されている逆止め弁と、前記チャンバにあるポンプ要素であって、前記チャンバにて前記第１のフィルムと前記第２のフィルムの一方に対して圧力を加えるように構成されており、それによって前記圧力が前記チャンバから流れを追い出す、ポンプ要素と、を備える、請求項１０に記載の流体管理カセットシステム。
【請求項１２】
前記ポンプは、蠕動的なポンプ作用を達成するように、前記１つ又は２つ以上のチャネルのうちの１つに沿って移動可能である容積型の要素を備える、請求項１０に記載の流体管理カセットシステム。
【請求項１３】
流体流動を管理する方法であって、
対向する第１の圧板と第２の圧板との間に、対向する第１のフィルム及び第２のフィルムを閉じ込めることと、
流体を、開口部を介して、前記第１の圧板および前記第２の圧板の中に形成された２つ以上チャネルに面する前記第１のフィルムおよび前記第２のフィルム間に導入し、前記チャネルに面する前記第１のフィルムまたは前記第２のフィルムを前記チャネルに向けて変形させて、前記第１のフィルムおよび前記第２のフィルム間に通路を形成し、流体を前記通路を通じて方向付けすること、を含み、
前記２つ以上のチャネルの内の前記第２の圧板に形成されているチャネルは、前記２つ以上のチャネルの内の前記第１の圧板に形成されているチャネルに対して独立して位置付けられる、方法。
【請求項１４】
前記第１のフィルム及び前記第２のフィルムは前記通路に表面を有し、前記表面は、前記通路を通じて流体を流動させる工程に先立って無菌性となる、請求項１３に記載の方法。
【請求項１５】
前記通路を通じた流動を遮るように、前記第１のフィルムと前記第２のフィルムの少なくとも一方に抗して前記チャネルの中へと弁要素を移動させることによって、前記通路を通じた流体の流動を妨げる工程を更に含む、請求項１３に記載の方法。
【請求項１６】
前記チャネルの中へと前記弁要素が移動することにより、前記通路を通じた流動が完全に阻止される、請求項１５に記載の方法。
【請求項１７】
前記チャネルの中へと前記弁要素が移動することにより、前記通路を通じた流動が部分的に阻止される、請求項１５に記載の方法。
【請求項１８】
前記第１の圧板と前記第２の圧板の少なくとも一方は各区間の行列を備え、各区間は、前記第１の圧板と前記第２の圧板のもう一方へ向かう延出位置から、前記第１の圧板と前記第２の圧板のもう一方から離れた後退位置に移動可能であり、前記方法は、前記各区間をそれらの後退位置に配列することによって前記チャネルを形成する工程を含み、各区間の移動は、一連の移動作動ラインを介して各区間に接続され、各区間の行列と一致する行列をなして配列されたアクチュエータを用いて作動される、請求項１３に記載の方法。
【請求項１９】
前記チャネルに沿った流動を誘発するように、前記チャネルに沿って波状のパターンをなして各区間を係合させることによって、前記チャネルに沿って流体をポンプ圧送することを更に含む、請求項１８に記載の方法。
【発明の詳細な説明】
【背景技術】
【０００１】
本願は流体マニホールドに関し、より具体的には、流体流路が１対のフィルムの間に形成されるマニホールド及びそれに関連付けられる方法に関する。
【０００２】
生物医学的な処理及び解析の分野においては、通常、装置を制御するために連結と相互作用とを必要とする配管を用いて、様々な位置の間で流体が操作及び案内される。これらの流体システムは、１台又は２台以上の脱着式配管ハーネスと処理機とを備える。配管ハーネス又はカセットは一般に、純度又は無菌性を確実にするために、１回使用の使い捨て型となっている。配管ハーネスは、再使用型の処理機に操作者によって装填されるが、その操作者は、ポンプ及び弁などの制御装置をハーネスに連結しなければならない。ハーネスの複雑度により、相当な訓練、時間、及び誤りの可能性が、配管ハーネスの使用には存在する。漏れの可能性を有する複数の連結部が、配管区間と構成要素との間に存在する。更に、使い捨て型の配管ハーネス又はカセットの材料及び組立費は相当なものであり、製品及び手技の商業的な採択に影響を及ぼしている。
【０００３】
時間を節約し、誤りを回避するために、この装填プロセスで役立てるべく、特注のカセット及び様々な種類の配管ホルダーなど、多数のシステムが発明されてきた。硬質部材内に形成されたチャネルの中に配管機能が組み込まれたマニホールドシステムが開発されてきた。通常、マニホールド、カセット、及び配管ホルダーによる取組みは、基本的な配管ハーネス以上に材料費を増加させるものである。加えて、カセット及び配管ホルダーは、製造時に定義される単一の流体構成を与える。マニホールドは、いくぶんか構成の柔軟性を増すが、設計に組み込まれている通路に限定される。
【発明の概要】
【課題を解決するための手段】
【０００４】
本発明による流体管理カセットシステムは、第１の圧板と、その第１の圧板と対向する第２の圧板とを備える。互いに対向する関係にある第１のフィルム及び第２のフィルムが、第１の圧板と第２の圧板との間で圧縮される。１つ又は２つ以上のチャネルが、第１の圧板と第２の圧板の少なくとも一方に形成されており、それにより、流体が、１つ又は２つ以上のチャネルにおいて第１のフィルムと第２のフィルムとの間に形成された通路を通じて方向付けられ得る。
【０００５】
好ましくは、第１のフィルムは、第２のフィルムに面する内向きの面を有し、第２のフィルムは、第１のフィルムに面する内向きの面を有し、第１のフィルムの内向きの面及び第２のフィルムの内向きの面は無菌性である。好ましくは、それらのフィルムは、使い捨て式でありかつ交換式である。また好ましくは、それらのフィルムは、バッグを形成するように、それらの周辺部の周りで封止される。
【０００６】
好ましくは、第１又は第２のフィルムの一方に抗してチャネルの中へと移動可能な弁要素を備える弁が存在する。本発明の一態様において、通路は、弁要素が完全にチャネルの中へと移動されると封鎖される。弁要素は、全体的な封鎖を伴うことなく通路における流動制限をもたらすように、部分的にチャネルの中へと移動可能となり得る。
【０００７】
本発明の一態様において、第１の圧板と第２の圧板の少なくとも一方は各区間の行列を備え、各区間は、第１の圧板と第２の圧板のもう一方へ向かう延出位置から、第１の圧板と第２の圧板のもう一方から離れた後退位置に移動可能であり、チャネルは、各区間をそれらの後退位置に配列することによって形成される。
【０００８】
流量制限弁が、チャネルの中へと移動可能な区間のうちの１つ又は２つ以上を用いて、チャネルの中に実現され得る。
【０００９】
本発明の一態様において、流体ポンプが、第１の圧板と第２の圧板の少なくとも一方に形成される。例えば、１つ又は２つ以上のチャネルのうちの１つの途中にあるチャンバであって、チャンバの中に続く入口を形成し、チャンバの中への流れを許可するように構成されている逆止め弁を有する、チャンバが、チャンバにあるポンプ要素と共に用いられることができ、そのポンプ要素は、チャンバにて第１のフィルムと第２のフィルムの一方に対して圧力を加えるように構成されている。その圧力はチャンバから流れを追い出し、逆止め弁は、流れが逆行するのを防止する。好ましくは、出口からチャンバへの逆流を防止するために、別の逆止め弁が出口に設けられる。それに代わって、ポンプは、蠕動的なポンプ作用を達成するように、１つ又は２つ以上のチャネルのうちの１つに沿って移動可能である容積型の要素を備え得る。
【００１０】
本発明による方法は、流体流動を管理するためのものである。その方法は、対向する第１の圧板と第２の圧板との間に、対向する第１のフィルム及び第２のフィルムを閉じ込めることと、第１の圧板と第２の圧板の少なくとも一方の中に形成されたチャネルを用いて、第１のフィルムと第２のフィルムとの間に流体通路を形成することと、その通路を通じて流体を流動させることと、を含む。
【００１１】
好ましくは、第１及び第２のフィルムは通路に表面を有し、前記表面は、通路を通じて流体を流動させる工程に先立って無菌性となる。
【００１２】
好ましくは、通路を通じて流体の流動を妨げる工程は、その通路を通じた流動を遮るように、第１のフィルムと第２のフィルムの少なくとも一方に抗してチャネルの中へと弁要素を移動させることを含む。チャネルの中へと弁要素が移動することにより、通路を通じた流動が完全に阻止されるか、あるいは単純に通路を部分的に封鎖することによって流動を絞ることができる。
【００１３】
本発明の一態様において、第１の圧板と第２の圧板の少なくとも一方は各区間の行列を備え、各区間は、第１の圧板と第２の圧板のもう一方へ向かう延出位置から、第１の圧板と第２の圧板のもう一方から離れた後退位置に移動可能であり、チャネルは、各区間をそれらの後退位置に配列することによって形成される。
【００１４】
チャネルに沿って流体をポンプ圧送することは、チャネルに沿った流動を誘発するように、チャネルに沿って波状のパターンをなして各区間を係合させることによって達成され得る。
【図面の簡単な説明】
【００１５】
【図１】本発明による流体マニホールドの分解斜視図。
【図２】図１の流体マニホールドの斜視図。
【図３】図１の線３−−３に沿った断面図であり、これらの圧板は、それらの間のバッグと共に、分離した構成で示されている。
【図４】図３と同様の断面図であるが、圧板が互いに押し付けられ、流路が流体を輸送している。
【図５】図１の線５−−５に沿った断面図であり、ポンプチャンバを示している。
【図６】図１の線６−−６に沿った断面図であり、逆止め弁を示している。
【図７】本発明による別の流体マニホールドの底部ブロックの斜視図であり、この流体マニホールドは、再構成可能な流体チャネルを有している。
【図８Ａ】図７のマニホールドの流路の時系列とした側面図であり、蠕動的なポンプ作用を示している。
【図８Ｂ】図７のマニホールドの流路の時系列とした側面図であり、蠕動的なポンプ作用を示している。
【図８Ｃ】図７のマニホールドの流路の時系列とした側面図であり、蠕動的なポンプ作用を示している。
【図８Ｄ】図７のマニホールドの流路の時系列とした側面図であり、蠕動的なポンプ作用を示している。
【発明を実施するための形態】
【００１６】
図１及び２は、本発明による流体マニホールドシステム１０を示しており、この流体マニホールドシステム１０は、全体として、付形底部ブロック１２と、柔軟流体バッグ１４と、非付形頂部ブロック１６とを備えている。バッグ１４は、好ましくは、限定するものではないが、ＰＶＣ、ポリウレタン、ポリエチレン、シリコーン、及びプリプロピレンなどの生体適合性材料のフィルムを折り畳むかあるいは封止し、１つ又は２つ以上の入口連結部１８と、１つ又は２つ以上の出口連結部２０とを取り付けることによって形成された液体又は気体収容区画である。他の構成も可能であり、例えば、流体輸送管（図１及び２には示さない）が、既にバッグ１４に連結されて設けられ、流体供給源又は分配機器に連結するための流体輸送管用のコネクタを支持していてもよい。連結部と配管のいずれか又は両方が、バッグ１４と一体に形成され得る。頂部ブロック１６は、平坦な下部表面２２を有し、この下部表面２２は、バッグ１４を形成する頂部フィルム２４と接触する。底部ブロック１２は、チャネル２８を上に形成された上部表面２６を有し、この上部表面２６は、バッグ１４を形成する下部フィルム３０と接触する。平坦であるというよりも、頂部ブロックの下部表面２２は、底部ブロック１２のチャネル２８と位置合わせされた相手チャネル（図示せず）を有してもよく、あるいは、相手チャネルはチャネル２８に対して独立に位置付けられる。
【００１７】
ここでまた図３〜６を参照すると、バッグ１４と、頂部ブロック１６及び底部ブロック１２と、チャネル２８との間の相互作用が、バッグ１４を通じた流体通路３２を形成している。バッグは、いくつかの領域ではバッグを押さえ付ける圧板として機能するブロック１２と１６との間に閉じ込められているが、チャネル２８が存在する場所では閉じ込められていない。バッグは、通路３２を封止するガスケットとして機能するように柔軟となっている。好ましくは、バッグ１４の材料自体が、ガスケットとして封止する際のその作用を高めるように、いくぶんかの弾力性を有している。ブロック１２及び１６は、耐久性を得るために好ましくは剛性であるが、一方又は両方が、封止を支援するために、弾性材料から形成されるかあるいは弾性材料を張り付けられ得る。これは好都合にも、平坦な表面２２に張り付けられ得るものであり、摩耗したとき、あるいは異なる弾性特性が望まれるとき、交換され得るものである。
【００１８】
チャネル２８の構成（図１及び２に最良に示される）により、流体通路３２が決まる。図示の流体マニホールドシステム１０は、入口３４を有し、チャネル２８は入口３４から逆止め弁３６に続いている。逆止め弁からチャネル２８は可変流弁３８に、次いでポンプチャンバ４０に続いている。ポンプチャンバ４０から２つのチャネル２８が、第１の出口弁４２と出口４４に、そして第２の出口弁４６と第２の出口４８に続いている。入口３４はバッグの入口連結部１８と、出口４４及び４８はバッグの出口連結部２０と対応し、好ましくは、バッグ１４が誤って配置されるのを防止するためにバッグ１４が１方向にのみ嵌合するような構成となっている。
【００１９】
出口弁４２及び４６は、通路３２を封鎖して流路３２を通じた流れを防止する単純なプランジャ５０である。可変流弁３８はまた、通路３２を部分的に封鎖するように調節され得るプランジャを備えている。逆止め弁３６は弁本体４１を備え、弁本体４１は、曲線状の入口表面４３と、平坦な出口表面４５とを有し、バネ４７によって付勢及び閉鎖される。入口表面４３に抗する流れは、バネ４７の付勢力に打ち勝つように圧力を与え、流れを許可するように弁本体４１を移動させて開放する。出口表面４５に抗する流れは、この付勢力に打ち勝つのに十分な圧力を発生させない。
【００２０】
空気線５２を通じてポンプチャンバ４０に吸引力と圧力を交互に加えることによってポンプ効果を達成することができ、逆止め弁３６によって流れは出口４４及び４８に向けられることになる。ポンプチャンバ４０への逆流を防止するため、またポンプ効率を向上させるために、更なる逆止め弁（図示せず）が、ポンプチャンバ４０からの出口に望ましいものとなり得る。また、ポンプチャンバ４０にてフィルム３０に抗して移動するピストン（図示せず）など、機械的な解決策が用いられてもよい。それに代わって、蠕動的なポンプ作用を達成するために、ローラ（図示せず）又は他の容積型の駆動装置が通路３２の一区間に利用され得る。
【００２１】
ひずみゲージなどの力測定センサをブロック１２又は１６の一方の流路３２のところに配置することによって、圧力センサ（図示せず）が実現されてもよい。通路３２内で流体からその圧力センサに加えられる力は、圧力を示すように較正され得る。複数の圧力センサを用いて、また、既知の寸法を有する、それらの圧力センサの間の通路３２の一区間を通じた圧力降下を、おそらくは通路３２の計量用の絞りの支援を受けて算出して、流量が決定され得る。流れの測定値はまた、外部流量計を用いて較正され得る。
【００２２】
流体管理の柔軟性が、ブロック１２に代わるブロック５４（図７を参照）の第２の実施形態で達成され得る。ブロック５４は、区間５６の行列を備え、区間５６の各々は、独立な作動が可能であり、好ましくは可変であり、そのため、特定の区間５６を後退させることによってチャネル５８が形成され、チャネル５８内の区間５６を延出させることによって弁５７が形成され得るようになっている。弁５７は、単に部分的に区間５６を延出させることによって、流量制御弁となり得る。簡略化された変形例のみが、原理を説明する目的で示されており、チャネル５８は、後退した区間５６によって形成され、入口５１から延び、２つの出口５３及び５５へと分岐しており、出口５５は、チャネル５８へと延出している区間５６のうちの１つを備える弁５７によって封鎖されている。ブロック５４の操作部分全体は、区間５６を備えることができ、あるいは、区間５６からなるブロック５４のいくつかの部分のみで、その中に永久的に形成されたいくつかのチャネル又は機構を有することができる。区間５６は、弁及びポンプ並びに他の流量制御品として使用され得る。
【００２３】
例えば、蠕動的ポンプ作用は、図８Ａ〜８Ｄに示すように、チャネル５８内の区間５６を波状に作用させることによって達成され得るものであり、区間５６の各々は、説明のために文字で符号を付けられており、それらは、第１の硬質表面６０と、個々の区間５６から形成された第２の表面６２との間で操作される（バッグ１４は、簡潔にするために省略されているが、表面６０と６２との間に配置される）。時間Ｔ１（図８Ａ）にて、「ａ」と符号を付けられた区間５６が完全に作動されており、「ｂ」と符号を付けられた区間は上昇する途中にある。そのわずか後の時間Ｔ２（図８Ｂ）において、「ａ」と符号を付けられた区間５６は下降する途中にあり、「ｂ」は完全に作動されており、「ｃ」は上昇する途中にある。時間Ｔ３（図８Ｃ）までに、「ａ」は完全に後退し、「ｂ」は下降する途中にあり、「ｃ」は完全に作動されており、「ｄ」は上昇する途中にある。時間Ｔ４（図８Ｄ）までに、「ａ」と「ｃ」の両方が完全に後退しているなどである。この形式で、流れの波がチャネル５８を通じて生成される。
【００２４】
好ましくは、各区間は、制御システム及び独立した直線アクチュエータ又はソレノイド６０を用いて独立に制御及び作動される。空気圧又は油圧シリンダ、機械てこアクチュエータ、電気モータなど、区間５６の移動を独立に制御するための他の好適な機構が企図される。いくつかの用途において、所望の区間が、合理的な費用のアクチュエータよりも小さくてもよく、その場合、アクチュエータ６０は、好ましくは区間５６の行列と一致する行列６２をなして配列されることができ（そのような行列のうちの小部分のみが図７に示されている）、ボーデンケーブルなど、一連の移動作動ライン６４が、アクチュエータの移動を個々の区間５６に伝達し得る。したがって、アクチュエータは、区間５６の寸法を満たすように小型化される必要はなくなる。
【００２５】
本発明について、その好ましい実施形態に関連して説明してきた。明らかに、先の詳細な説明を読み理解すると、修正及び変更が他者にも思い付くであろう。そのような修正及び変更が添付の「特許請求の範囲」及びその等価物の範疇に含まれる限り、本発明はそのような修正及び変更のすべてを含むと解釈されるものとする。
【００２６】
〔実施の態様〕
（１）  流体管理カセットシステムであって、
第１の圧板及び前記第１の圧板と対向する第２の圧板と、
互いに対向する関係にあり、前記第１の圧板と前記第２の圧板との間で圧縮される第１のフィルム及び第２のフィルムと、
１つ又は２つ以上のチャネルであって、前記第１の圧板と前記第２の圧板の少なくとも一方に形成されており、それにより、流体が、前記１つ又は２つ以上のチャネルにおいて前記第１のフィルムと前記第２のフィルムとの間に形成された通路を通じて方向付けられ得る、チャネルと、を備える、流体管理カセットシステム。
（２）  前記第１のフィルムは、前記第２のフィルムに面する内向きの面を有し、前記第２のフィルムは、前記第１のフィルムに面する内向きの面を有し、前記第１のフィルムの内向きの面及び前記第２のフィルムの内向きの面は無菌性である、実施態様１に記載の流体管理カセットシステム。
（３）  弁を更に備え、前記弁は、前記第１のフィルム又は前記第２のフィルムの一方に抗して前記チャネルの中へと移動可能な弁要素を備える、実施態様１に記載の流体管理カセットシステム。
（４）  前記通路は、前記弁要素が前記チャネルの中へと完全に移動されると封鎖される、実施態様３に記載の流体管理カセットシステム。
（５）  前記弁要素は、前記通路における流量制限をもたらすように、部分的に前記チャネルの中へと移動可能である、実施態様３に記載の流体管理カセットシステム。
（６）  前記第１のフィルム及び前記第２のフィルムは、使い捨て式でありかつ交換式である、実施態様１に記載の流体管理カセットシステム。
（７）  前記第１のフィルム及び前記第２のフィルムは、バッグを形成するように周辺部の周りで封止されている、実施態様１に記載の流体管理カセットシステム。
（８）  前記第１の圧板と前記第２の圧板の少なくとも一方は各区間の行列を備え、各区間は、前記第１の圧板と前記第２の圧板のもう一方へ向かう延出位置から、前記第１の圧板と前記第２の圧板のもう一方から離れた後退位置に移動可能であり、前記チャネルは、前記各区間をそれらの後退位置に配列することによって形成される、実施態様１に記載の流体管理カセットシステム。
（９）  前記チャネル内の流量制御弁は、前記チャネルの中へと移動可能な、前記各区間のうちの１つ又は２つ以上の区間を含む、実施態様８に記載の流体管理カセットシステム。
（１０）  前記第１の圧板と前記第２の圧板の少なくとも一方に形成された流体ポンプを更に備える、実施態様１に記載の流体管理カセットシステム。
【００２７】
（１１）  前記ポンプは、前記１つ又は２つ以上のチャネルのうちの１つの途中にあるチャンバと、前記１つ又は２つ以上のチャネルから前記チャンバへと続く入口を形成し、前記チャンバの中への流れを許可するように構成されている逆止め弁と、前記チャンバにあるポンプ要素であって、前記チャンバにて前記第１のフィルムと前記第２のフィルムの一方に対して圧力を加えるように構成されており、それによって前記圧力が前記チャンバから流れを追い出す、ポンプ要素と、を備える、実施態様１０に記載の流体管理カセットシステム。
（１２）  前記ポンプは、蠕動的なポンプ作用を達成するように、前記１つ又は２つ以上のチャネルのうちの１つに沿って移動可能である容積型の要素を備える、実施態様１０に記載の流体管理カセットシステム。
（１３）  流体流動を管理する方法であって、
対向する第１の圧板と第２の圧板との間に、対向する第１のフィルム及び第２のフィルムを閉じ込めることと、
前記第１の圧板と前記第２の圧板の少なくとも一方の中に形成されたチャネルを用いて、前記第１のフィルムと第２のフィルムとの間に流体通路を形成することと、
前記通路を通じて流体を流動させることと、を含む、方法。
（１４）  前記第１のフィルム及び前記第２のフィルムは前記通路に表面を有し、前記表面は、前記通路を通じて流体を流動させる工程に先立って無菌性となる、実施態様１３に記載の方法。
（１５）  前記通路を通じた流動を遮るように、前記第１のフィルムと前記第２のフィルムの少なくとも一方に抗して前記チャネルの中へと弁要素を移動させることによって、前記通路を通じた流体の流動を妨げる工程を更に含む、実施態様１３に記載の方法。
（１６）  前記チャネルの中へと前記弁要素が移動することにより、前記通路を通じた流動が完全に阻止される、実施態様１５に記載の方法。
（１７）  前記チャネルの中へと前記弁要素が移動することにより、前記通路を通じた流動が部分的に阻止される、実施態様１５に記載の方法。
（１８）  前記第１の圧板と前記第２の圧板の少なくとも一方は各区間の行列を備え、各区間は、前記第１の圧板と前記第２の圧板のもう一方へ向かう延出位置から、前記第１の圧板と前記第２の圧板のもう一方から離れた後退位置に移動可能であり、前記方法は、前記各区間をそれらの後退位置に配列することによって前記チャネルを形成する工程を含む、実施態様１３に記載の方法。
（１９）  前記チャネルに沿った流動を誘発するように、前記チャネルに沿って波状のパターンをなして各区間を係合させることによって、前記チャネルに沿って流体をポンプ圧送することを更に含む、実施態様１８に記載の方法。
【図１】
0006316535.tif 000002
【図２】
0006316535.tif 000003
【図３】
0006316535.tif 000004
【図４】
0006316535.tif 000005
【図５】
0006316535.tif 000006
【図６】
0006316535.tif 000007
【図７】
0006316535.tif 000008
【図８Ａ】
0006316535.tif 000009
【図８Ｂ】
0006316535.tif 000010
【図８Ｃ】
0006316535.tif 000011
【図８Ｄ】
0006316535.tif 000012